(57)【要約】【課題】            従来、建築物の開口部にあって外部の状況の動画データを記録した装置に建築物の外部から通信機器を接続させ、そのデータ内容を閲覧するについてはネットワークと建築物の内部に設置された機器を結ぶルーターの設定内容を変更する必要があり、この変更をユーザーが行う場合、その作業は煩雑、困難であり、しかもセキュリティ性を損なう危険性も有しているという点である。【解決手段】        動画データの閲覧システムは建築物の開口部にあって、外部の状況をカメラにより動画データで記録する装置にあって、その撮像されている動画データもしくは記録された動画データに建築物の外部からネットワークを介して通信機器でアクセスし、それを閲覧可能とした動画データの閲覧システムにおいて、前記ネットワークに専用サーバを介在させ、その専用サーバに通信機器でログインすることで前記記録装置に接続されることとする。【選択図】          図１
2008283238.tif 000002
【特許請求の範囲】
【請求項１】
建築物の開口部にあって、外部の状況をカメラにより動画データで記録する装置にあって、その撮像されている動画データもしくは記録された動画データに建築物の外部からネットワークを介して通信機器でアクセスし、それを閲覧可能とした動画データの閲覧システムにおいて、前記ネットワークに専用サーバを介在させ、その専用サーバに通信機器でログインすることで前記記録装置に接続されることを特徴とする動画データの閲覧システム。
【請求項２】
前記記録装置は建築物の内部に配されたルーターを介して通信機器に接続されるものとし、前記した記録装置は常時前記したルーターにアクセスしているものとし、専用サーバはログインによってルーターと前記記録装置をブリッジモードで自動的に接続されることを特徴とする請求項１に記載の動画データの閲覧システム。
【発明の詳細な説明】
【技術分野】
【０００１】
本発明は動画データの閲覧システムに関し、特に建築物の開口部にあって外部の状況をカメラで撮像し、その動画データを記録装置に記録させ、その記録された動画データに携帯電話や携帯型パソコン等の通信機器によってアクセスして前記建築物の外部から動画データを閲覧することができるようにしたシステムの改良に関する。
【背景技術】
【０００２】
上記したシステムは従来より存在しているが、この従来のシステムにあっては、建築物の外部から動画記録装置に対して通信機器を接続させるについて、モデムを含んだ意味でのルーターを介することでデータを変調するため、このルーターの設定内容を変更する必要があり、この変更に際してはセキュリティを保つための専門的知識が必要とされることとなり、通常、このルーターの設定変更はユーザーサイドでは実行することが困難で、専門業者による作業が不可欠となり、そのための費用も嵩んでしまうものとなっている。
【特許文献１】出願人は本願発明について、先行する技術文献の調査を行なったが、格別に本願発明と類似すると思われる技術文献を発見することはできなかった。
【発明の開示】
【発明が解決しようとする課題】
【０００３】
本発明が解決しようとする問題点は、従来、建築物の開口部にあって外部の状況の動画データを記録した装置に建築物の外部から通信機器を接続させ、そのデータ内容を閲覧するについてはネットワークと建築物の内部に設置された機器を結ぶルーターの設定内容を変更する必要があり、この変更をユーザーが行う場合、その作業は煩雑、困難であり、しかもセキュリティ性を損なう危険性も有しているという点である。
【課題を解決するための手段】
【０００４】
上記した問題点を解決するために、本発明に係る動画データの閲覧システムは建築物の開口部にあって、外部の状況をカメラにより動画データで記録する装置にあって、その撮像されている動画データもしくは記録された動画データに建築物の外部からネットワークを介して通信機器でアクセスし、それを閲覧可能とした動画データの閲覧システムにおいて、前記ネットワークに専用サーバを介在させ、その専用サーバに通信機器でログインすることで前記記録装置に接続されることを特徴としている。
【０００５】
また、本発明に係る動画データの閲覧システムは前記記録装置は建築物の内部に配されたルーターを介して通信機器に接続されるものとし、前記した記録装置は常時前記したルーターにアクセスしているものとし、専用サーバはログインによってルーターと前記記録装置をブリッジモードで自動的に接続されることを特徴としている。
【発明の効果】
【０００６】
本発明に係る動画データの閲覧システムは上記のように構成されている。そのために、建築物の開口部に設置されているカメラと連動される動画データの記録装置に対して、建物の外部から通信機器によって、ルーターを介して接続する場合に、ルーターの設定内容の変更が一切不要となり、設定変更作業の煩わしさがなくなるとともに、セキュリティも保全されることとなる。
【発明を実施するための最良の形態】
【０００７】
図面として示し、実施例に記載したような構成とすることで実現した。
【実施例１】
【０００８】
次に、本発明の好ましい実施の一例を図面を参照して説明する。図１は本発明を実施した動画データの閲覧システムを示すブロック構成図である。
【０００９】
この図１は、図中の一点鎖線によって建築物の内外を区分して示しており、図中６は動画記録装置を示し、この動画記録装置６は建築物の開口部にあってカメラを有しており、そのカメラによって建築物開口部の外部の状況を動画として撮像し、その撮像した動画データを記録する装置である。
【００１０】
また、前記した動画記録装置６はパーソナルコンピュータ５、５‥と接続され、ＬＡＮ（ｌｏｃａｌ  ａｒｅａ  ｎｅｔｗｏｒｋ）を形成している。そして、このＬＡＮを構成する動画記録装置６及びパーソナルコンピュータ５、５‥はモデムを含めた意味でのルーター４を介してネットワーク網２（インターネット）と接続されている。
【００１１】
さらに、前記したネットワーク網２には専用サーバ３が介在されているもので、図中１は携帯電話機や外出先の例えばホテル等に設置されているパーソナルコンピュータ等の通信機器、それも動画を画面上で視認することのできる通信機器を示している。
【００１２】
本発明に係る動画データの閲覧システムの構成は上記のようになっており、ここで、この実施手順を説明すると、前記した動画記録装置６は常にルーター４にアクセス、換言するとネットワーク網２における専用サーバ３に常にアクセスした状態とされており、ネットワーク網２の接続状態を確認している。
【００１３】
係る状況下にあって、建築物の外部からユーザーが建築物開口部の外部の状況を動画で閲覧、確認しようとする場合、ユーザーは前記した通信機器１によって専用サーバ３にアクセスし、ＩＤ番号やパスワードを入力して、この専用サーバ３にログインする。
【００１４】
次いで、この専用サーバ３の自動的処理によって、前記した動画記録装置６と専用サーバ３の接続状態が再確認され、その再確認するこの専用サーバ３の処理で、ルーター４と建築物内部のＬＡＮシステム、特に動画記録装置６がブリッジモードで自動的に接続させることが可能となり、このため、ユーザーはルーター４に対して設定変更の作業が不要となる。
【００１５】
そして、専用サーバ３はユーザーの建築物外部の通信機器１と動画記録装置６とをブリッジモードで接続することとなり、これによって、ユーザーは建築物の外部にあって、通信機器１の画面によって、建築物開口部の外部の状況を動画として閲覧、確認することができる。
【産業上の利用可能性】
【００１６】
本発明に係る動画データの閲覧システムは上記のように構成されている。本実施例では建築物開口部における外部の動画記録装置を想定しているが、これに限らずネットワークを利用できる遠隔地における状況データの閲覧、確認のほか、ネットワーク通信機能を備えた装置、システムにおける応用実施も勿論可能となる。
【図面の簡単な説明】
【００１７】
【図１】本発明を実施した動画データの閲覧システムを示すブロック構成図である。
【符号の説明】
【００１８】
１    通信機器
２    ネットワーク網
３    専用サーバ
４    ルーター
５    パーソナルコンピュータ
６    動画記録装置
【図１】
2008283238.tif 000003